(57)【要約】【課題】サイフォン排水システムにあって、特に溜め流しの際のトラップ側からエアを巻き込むことによる排水騒音の低減がもたらされ、又、封水切れも生じないという新規なサイフォン排水工法を提案するものである。【解決手段】キッチン等の一度に多量の排水が予定される水廻り器具からの排水管と二本の横引き管とを接続するサイフォン排水工法にかかり、上記排水管に接続される筒状基体とこれより伸びる二本の細径の管体と、よりなる接続体であって、連続排水の際に使用されない管体経路側にサイフォンブレ−カ−を設置したサイフォン排水工法。１‥筒状基体、２、３‥細径の管体、４、５‥横引き管、６‥床スラブ、７‥キッチン等からの排水管、３０‥サイフォンブレ−カ−。【選択図】図２
2008069543.tif 000002
【特許請求の範囲】
【請求項１】
キッチン等の一度に多量の排水が予定される水廻り器具からの排水管と二本の横引き管とを接続するサイフォン排水工法にかかり、上記排水管に接続される筒状基体とこれより伸びる二本の細径の管体と、よりなる接続体であって、連続排水の際に使用されない管体経路側にサイフォンブレ−カ−を設置したことを特徴とするサイフォン排水工法。
【請求項２】
管体経路が接続体である請求項１記載のサイフォン排水工法。
【請求項３】
管体経路が排水管である請求項１記載のサイフォン排水工法。
【発明の詳細な説明】
【技術分野】
【０００１】
本発明はサイフォン排水工法に関するものであり、特に言えば、浴槽やキッチン等（以下、主としてキッチンをもって説明する）のような一度に多量の排水がある場合に用いられるサイフォン排水敷設工法に係るものである。
【背景技術】
【０００２】
近年になって、従来の勾配排水システムに代わってサイフォン排水工法が提案されている。このサイフォン排水工法の概要は、排水立て管と、水廻り器具からの無勾配の横引き管と、５０ｃｍ以上の水頭をもつ合流部と、からなり、横引き管がそのまま他の管と合流することなく前記合流部へ接続される排水工法である。そして、横引き管内の水は前記水頭差の分だけサイフォン力が発生し、横引き管内の水を排水する工法である。
【０００３】
しかるに、従来のサイフォン排水工法にあっては、排水管同士の継手の技術がほとんど開発されていないのが現状であり、特に、キッチンのように一度に多量の排水が生じる際に用いられるサイフォン排水用接続体（以下、継手とも言う）の開発はされていないのが現状である。
【０００４】
かかる点を改良するために、本発明者は既に新たなキッチンに用いられる継手を提供している。その提案の内容は、キッチンからの排水管と二本の横引き管とを接続する継手であって、キッチンからの排水管に接続される有底の筒状基体と、この筒状基体より伸び、横引き管が接続される二本の細径の管体と、からなる継手であって、この二本の細径の管体は筒状基体の上下に位置を違えて形成した継手である。
【０００５】
図１はこの既提案のサイフォン排水用工法に用いられる継手の一部切断側面図である。符号２１は、図示しないキッチンからの排水管に接続される有底の筒状基体であり、２２、２３は横引き管２４、２５が接続される二本の細径の管体であって、上下の高さを異ならせて突出形成されている。そして、管体２２及び横引き管（以下、上管体とも言う）２４は勾配を付けて敷設されるものである。
【０００６】
そして、一度に多量の排水が予想される際には、筒状基体２１に排水を受け、二本の横引き管２４、２５を接続して二本ともサイフォン力によって排水する工法である。即ち、溜め流し排水の際は、横引き管２４、２５共に満流でサイフォンを発揮しながら流れ、これにより必要排水量を確保できる構造である。
【０００７】
一方、連続排水時には、ほとんど横引き管（以下、下管体とも言う）２５のみでサイフォン排水を行うが、排水開始直後は上記したように横引き管２４も使用して排水を実施する。しかるに、上管体（横引き管）２４を使用するのは排水開始直後のみで排水用としてはすぐ使用しなくなる。その際、従来のように上下の横引き管２４、２５が無勾配である場合には上管体（横引き管）２４内には水が残留することがある。このように、上管体（横引き管）２４に水が残留すると、下管体（横引き管）２５で生じた過剰なサイフォン力（負圧）はキッチンのトラップ内よりエアを吸おうとし、或いは上管体（横引き管）２４内に水が残留する場合には、この上管体（横引き管）２４内の水とエアを同時に吸い込むこととなってしまう。このため、水とエアを同時に吸い込むことによるズ−ズ−という排水騒音をもたらすこととなってしまう。
【０００８】
このため、上管体（横引き管）２４に多少の勾配をもって設置することにより、上管体（横引き管）２４内の水を、勾配により立て管方向に流す仕組みとするのが好ましい。この勾配のため上管体（横引き管）２４内を空にすることができ、下管体（横引き管）２５で生じた過剰なサイフォン力は上管体（横引き管）２４からエアを吸うことで解消されることとなる。即ち、トラップ側からエアを吸うことがないため、排水騒音を低減させることとなったものである。又、トラップ側に過剰なサイフォン力（負圧）がかからなくなったため、封水切れに関しても防ぐことを可能としたものである。
【０００９】
この継手は、一般的な二重床の床下に収まる形状としながら、二本の管体２２、２３の上下の間隔Ｓを空けることがよく、上管体（横引き管）２４の勾配を最大限とることができるようにすべきである。実際には、上記の勾配は上管体（横引き管）２４内の水を流すだけが目的ではなく、上管体（横引き管）２４内を空にすることも目的の一つである。
【発明の開示】
【発明が解決しようとする課題】
【００１０】
このように、既提案の継手によって、従来のインクリーザーやレデューサーを多用することなく、新たな継手が構成されるために漏水の発生は低減されたが、更に改良すべき点もある。即ち、トラップ側からエアを吸うことをなくすため、上管体に勾配を付けるが、このため、継手を床下に収納することができなくなることがあり、これを逆に言えば、敷設される横引き管の長さが限定されることになる。
【００１１】
本発明は上管体に勾配を付けることなく、しかも、排水騒音が引き起こされず、又、封水切れもないというサイフォン排水工法を提供することを目的とするものである。
【課題を解決するための手段】
【００１２】
本発明の要旨は、キッチンの一度に多量の排水が予定される水廻り器具からの排水管と二本の横引き管とを接続するサイフォン排水工法にかかり、上記排水管に接続される筒状基体とこれより伸びる二本の細径の管体、よりなる接続体であって、連続排水の際に使用されない管体経路側にサイフォンブレ−カ−を設置したことを特徴とするサイフォン排水工法にかかるものである。具体的には、接続管体や排水管に設置されるものである。
【発明の効果】
【００１３】
本発明にあって、連続排水の際に使用されない管体経路側にサイフォンブレ−カ−を設置したことにより、トラップ側からエアを吸うことがなく、排水騒音の低減がもたらされ、又、封水切れも生じないというサイフォン排水工法として大きな効果をもたらすこととなったものである。勿論、従来のインクリーザーやレデューサーを多用することなく、継手が構成されるために漏水の発生は低減されることは勿論、床下の納まりをよくし、更に、連続排水の際に使用されない上管体を勾配を付けて配管する必要がなくなったため、組み立て作業性も簡便となったもので施工性も向上し、施工可能領域が極めて広くなったものである。
【発明を実施するための最良の形態】
【００１４】
一般的に言えば、サイフォン排水経路中にサイフォンブレ−カ−を設置することは、排水処理能力を低下させるため、使用者の求める処理能力を得られないとされていた。
【００１５】
しかるに、既提案の二本配管の工法の場合の働きを精査するに、キッチンでも同様であるが、特にユニットバスでは浴槽の排水開始直後のみ二本配管が必要とされ、その他の水廻り器具では溜め流し排水の時のみが二本配管が必要であった。このように、上管体の使用頻度は極めて低く、二本配管が同時に使用される場合であっても、必要処理流量の７〜８割程度は下管体で処理するため、上管体に求められる処理流量は全体の２〜３割程度であった。
【００１６】
このように、二本配管工法の場合にあっても、基本的には上管体の主な役割としては連続排水の際には排水には供されず、内部を空となし、下管体によってもたらされる過剰なサイフォン力に対してトラップの方からエアを引っ張るのではなく、上管体からエアを引っ張ることによって、封水切れ排水騒音の発生を抑えるものである。
【００１７】
本発明はかかる知見に基づいてなされたものであり、二本配管工法の場合には連続排水の際に使用されない管体経路側、即ち、既提案における上管体側にサイフォンブレ−カ−を設置して下管体の過剰なサイフォン力に対してエアを導入したものであり、これによって上管体の排水処理流量を低下させるが、排水工法全体としては大きな影響はなく、必要処理能力は確保できることからなるものである。
【００１８】
更に、サイフォンブレ−カ−を設置した上管体内を無理に空にする必要がないので、今までと同様に上管体も無勾配で配管できるようになった。このことは、従来では勾配の大きさ、床下空間の大きさで決まってきた横引き管の最大長さが、格段と大きくすることが可能となったものであり、これによって水廻り器具の配置の自由度が極めて広くなったものである。
【００１９】
本発明にあって、サイフォンブレ−カ−の設置位置は任意であり、接続体（継手）自身に取り付けても構わないし、配管経路途中に設置しても構わない。本発明に用いられるサイフォンブレ−カ−としては、いわゆる負圧の場合のみに一方的に開くバルブが採用でき、例えば、フラップバルブ、スライスバルブ、テ−パ−コ−ンバルブ、ボ−ルバルブ、電磁弁等が好んで用いられる。
【実施例】
【００２０】
以下、図面をもって本発明を更に詳細に説明する。図２は本発明のサイフォン排水工法を示すものである。１は図示しないキッチンからの排水管７に接続される筒状基体であり、２、３は横引き管が接続される二本の細径の管体である。４、５はこの管体２、３に接続された横引き管である。管体２は管体３よりも筒状基体１の上側に形成されている。そして、これらに接続された横引き管４、５は床スラブ６上に無勾配に敷設されており、この横引き管４、５はそのまま図示しない排水立て管に接続されるものである。
【００２１】
この図例にあって、前記したように上管体Ａ（管体２及び横引き管４）は連続排水の際に使用されない側の管体であり、この管体２にサイフォンブレ−カ−３０を備えたものである。かかるサイフォンブレ−カ−３０は流体が下流に流れる場合には弁が開放することはなく、一方、流体が逆に流れる際には弁が開放されるものである。従って、下管体Ｂ（管体３及び横引き管５）におけるサイフォン力によってエアが引き込まれる際には、エアはトラップより引き込まれることなく、サイフォンブレ−カ−３０の弁が開いてエアを引き込むこととなり、排水の際のズ−ズ−という排水騒音がなくなったものである。
【００２２】
図３は本発明のサイフォン排水工法の第２例を示すものである。この例では横引き管２にサイフォンブレ−カ−３０を備えたものである。この場合にも、前例と同様にサイフォンブレ−カ−の弁が開閉し、ズ−ズ−という排水の際の騒音がなくなったものである。
【００２３】
図４は本発明のサイフォン排水工法の第３例を示すものである。この例では管体２、３は同一水平位置に形成されたものであるが、筒状基体１に直接サイフォンブレ−カ−３０を備えた例である。
【００２４】
図５は本発明のサイフォン排水工法の第４例を示すものである。この例ではユニットバスの排水にサイフォンブレ−カ−３０を適用した例である。１０はユニットバス、１１はトラップである。かかるトラップには太径の管１２が備えられ、これには段差をなして二本の管１３、１４が内挿されている。上段の管１３は下段の管１４よりも長めに設定されサイフォン排水に特に好ましい例である。管１３、１４には横引き管１５、１６が接続されている。３０ａ、３０ｂ、３０ｃは夫々サイフォンブレ−カ−であり、３０ａは太径の管１２に、３０ｂ、３０ｃは上管体Ａ（上段の管１３、横引き管１５）に、夫々備えられたことを示す。
【００２５】
この図例にあって、上管体Ａ（管１３及び横引き管１５）は連続排水の際に使用されない側の管体であり、この上管体Ａにサイフォンブレ−カ−３０を備えたものである。かかるサイフォンブレ−カ−３０は流体が下流に流れる場合には弁が開放することはなく、一方、流体が逆に流れる際には弁が開放されるものである。従って、下管体Ｂ（管体１４及び横引き管１６）におけるサイフォン力によってエアが引き込まれる際には、エアはトラップ１１より引き込まれることなく、サイフォンブレ−カ−３０の弁が開いてエアを引き込むこととなる。
【産業上の利用可能性】
【００２６】
本発明は、サイフォン排水工法の改良にかかるものであり、連続排水の際に使用されない管体側にサイフォンブレ−カ−を備えたことにより二本配管工法を改良したものであり、上管体に勾配を付けることを要せず、排水騒音の発生もなくなったもので、一度に多量の排水が予定される水廻り器具のサイフォン排水工法に広く用いられるものである。
【図面の簡単な説明】
【００２７】
【図１】図１は既提案のサイフォン排水用工法を示す一部切断側面図である。
【図２】図２は本発明のサイフォン排水用工法の第１例を示す側面図である。
【図３】図３は本発明のサイフォン排水用工法の第２例を示す側面図である。
【図４】図４は本発明のサイフォン排水用工法の第３例を示す正面図である。
【図５】図５は本発明のサイフォン排水用工法の第４例を示す正面図である。
【符号の説明】
【００２８】
１‥筒状基体、
２、３‥細径の管体、
４、５‥横引き管、
６‥床スラブ、
７‥キッチン等からの排水管、
１０‥ユニットバス、
１１‥トラップ、
１２‥太径の管、
１３、１４‥内挿管、
１５、１６‥横引き管、
３０、３０ａ、３０ｂ、３０ｃ‥サイフォンブレ−カ−、
Ａ‥上管体、
Ｂ‥下管体。
【図１】
2008069543.tif 000003
【図２】
2008069543.tif 000004
【図３】
2008069543.tif 000005
【図４】
2008069543.tif 000006
【図５】
2008069543.tif 000007